(57)【要約】【課題】ルア−本体に錘体が容易に離脱しないように取り付けられると共に、錘体に糸絡みが起こらないようにした釣用ルア−を提供することである。【解決手段】釣用ルア−１は、ジグタイプのルア−本体２に着脱自在な錘体３と、ルア−本体２に螺合で取り付けられた錘体係止部４と、錘体係止部４に取り付けられる錘体３に固定された軸部８と、軸部８に螺合されるナット９からなっている。  ルア−本体２の外周で正面前側の右側半分に側面より見て非円形状の凹状の錘体受部２ｂが形成されている。  錘体３の少なくとも一端側の一つの隅部３ａは、ルア−本体２の非円形状の凹状の錘体受部２ｂと嵌合可能な凸状に形成されている。【選択図】    図２
2011030471.tif 000002
【特許請求の範囲】
【請求項１】
ルア−本体と該ルア−本体に着脱自在な錘体と、前記ルア−本体に取り付けられた錘体係止部とからなり、前記ルア−本体外周に設けられた非円形状の凹状の錘体受部に前記錘体の一端側の外周を受け入れ嵌合し、前記錘体は前記錘体係止部に嵌合する軸部と、該軸部に螺合するナットでネジ止めしたことを特徴とする釣用ルア−。
【請求項２】
ルア−本体に対する錘体係止部の突出量を調整可能にしたことを特徴とする請求項１記載の釣用ルア−。
【発明の詳細な説明】
【技術分野】
【０００１】
本発明は、イカ釣り用のルア−やジグヘッドタイプ等の各種の釣用ルア−において、重錘の重さが調整可能な釣用ルア−に関する。
【背景技術】
【０００２】
従来から特許文献１のようにルア−本体に着脱可能に板状の重錘が取り付けられ、更に板状の重錘に副重錘が着脱可能に取り付けられて容易に重量を変更可能な提案がある。
しかし、副重錘が粘着シ−トによる構成では、海水で何度も使用していると、塩分等の付着によって粘着性が低下してしまい、磁着や嵌合による構成では、その取付面が度重なる使用で腐食したり等すると、上手に取り付けられない状態になる可能性がある。
また、これに伴って、副重錘が海中に落下してしまうという問題も生じる。
更に、特許文献１のようにルア−本体に着脱可能に板状の重錘が取り付けられると、板状の重錘がルア−本体から角張った状態で突出しているので糸絡みが起こり易い。
【特許文献１】特開平１１−１２７７３１号公報
【発明の概要】
【発明が解決しようとする課題】
【０００３】
解決しようとする問題点は、副重錘が板状の重錘から容易に離脱したり、取り付け難かったり、ルア−本体から板状の重錘が角張った状態で突出して糸絡みが起こり易いことである。
【０００４】
本発明の目的は前記欠点に鑑み、ルア−本体に錘体が容易に離脱しないように取り付けられると共に、錘体に糸絡みが起こらないようにした釣用ルア−を提供することである。
【課題を解決するための手段】
【０００５】
本発明の請求項１は、ルア−本体と該ルア−本体に着脱自在な錘体と、前記ルア−本体に取り付けられた錘体係止部とからなり、前記ルア−本体外周に設けられた非円形状の凹状の錘体受部に前記錘体の一端側の外周を受け入れ嵌合し、前記錘体は前記錘体係止部に嵌合する軸部と、該軸部に螺合するナットでネジ止めしたことを要旨とするものである。
本発明の請求項２は、ルア−本体に対する錘体係止部の突出量を調整可能にしたことを要旨とするものである。
【発明の効果】
【０００６】
本発明の請求項１によると、錘体の一端側隅部がルア−本体の錘体受部に対し回転しないように嵌合されるので、ナットの締め付け作業が容易になり、錘体が離脱して落下することがなく確実に取り付けることが出来る。
取り付けられた錘体に糸絡みが起こり難い。
本発明の請求項２によると、錘体係止部のルア−本体からの突出量が調整出来るので、錘体の大小に合わせることにより、錘体をルア−本体にネジ止めする際に、ルア−本体と錘体の間に隙間も出来ないので糸絡みが起こり難い。
【産業上の利用可能性】
【０００７】
本発明は釣用ルア−全般に利用できる。
【図面の簡単な説明】
【０００８】
【図１】第１実施例で、ジグタイプのルア−本体に錘体が取り付けられた釣用ルア−の側面図である。
【図２】同ジグタイプのルア−本体に錘体が取り付けられた釣用ルア−の正面図である。
【図３】同ジグタイプのルア−本体に錘体が取り付けられた釣用ルア−の図１の背面図である。
【図４】同図３の要部拡大背面図である。
【図５】同ジグタイプのルア−本体から錘体が取り外された釣用ルア−の斜視図である。
【図６】同ジグタイプのルア−本体に錘体を取り付ける前のルア−本体と錘体とナットの分解斜視図である。
【図７】同ジグタイプのルア−本体に錘体が取り付けられた釣用ルア−の斜視図である。
【図８】同ジグタイプのルア−本体に楕円形の錘体が取り付けられた釣用ルア−の側面図である。
【図９】第２実施例で、イカ釣用のルア−本体に錘体が取り付けられた釣用ルア−の側面図である。
【図１０】同図９の要部拡大側面図である。
【図１１】同図１０の背面図である。
【発明を実施するための最良の形態】
【０００９】
釣用ルア−１は、ジグタイプのルア−本体２と、ルア−本体２に着脱自在な錘体３と、ルア−本体２に螺合で取り付けられた錘体係止部４と、錘体３に固定された軸部８と、軸部８に螺合されるナット９からなっている。
ルア−本体２の正面中心にネジ穴２ａが穿設されて錘体係止部４のネジ部４ａが螺合されている。
錘体係止部４の頭部４ｂには透孔４ｃが穿設されている。
ルア−本体２の外周で正面前側の図２で右側半分に図１の側面より見て非円形状の凹状の錘体受部２ｂが形成されている。
ルア−本体２の外周で正面前側の図２で左側半分に図３の背面より見て円形の円弧部２ｃが形成されている。
錘体３は外形が四辺形に形成されると共に少なくとも一端側の一つの隅部３ａは、ルア−本体２の非円形状の凹状の錘体受部２ｂと嵌合可能な凸状に形成されている。
錘体３に固定された軸部８は錘体係止部４の透孔４ｃに挿通可能で軸部８に形成されたネジ部にナット９が螺合される。
ルア−本体２の外周で正面前側の図２で左側半分に図３の背面より見て円形の円弧部２ｃが形成され、その円弧部２ｃは内径がナット９の外径より大径に形成されてナット９が回動できる隙間を有すればよく、形状にとらわれない。
【実施例１】
【００１０】
以下、図示の実施例によって本発明を説明すると、図１から図８は第１実施例で、図１はジグタイプのルア−本体に錘体が取り付けられた釣用ルア−の側面図、
図２はジグタイプのルア−本体に錘体が取り付けられた釣用ルア−の正面図、図３はジグタイプのルア−本体に錘体が取り付けられた釣用ルア−の図１の背面図、
図４は図３の要部拡大背面図、図５はジグタイプのルア−本体から錘体が取り外された釣用ルア−の斜視図、図６はジグタイプのルア−本体に錘体を取り付ける前のルア−本体と錘体とナットの分解斜視図、図７はジグタイプのルア−本体に錘体が取り付けられた釣用ルア−の斜視図、図８はジグタイプのルア−本体に楕円形の錘体が取り付けられた釣用ルア−の側面図である。
【００１１】
釣用ルア−１は、ジグタイプのルア−本体２と、ルア−本体２に着脱自在な錘体３と、ルア−本体２に螺合で取り付けられた錘体係止部４と、ルア−本体２に固定された釣針５と、ルア−本体２に固定された道糸６の釣糸係止部７と、錘体３に固定された軸部８と、軸部８に螺合されるナット９からなっている。
ジグタイプのルア−本体２と錘体３はそれぞれ金属材料で形成されている。
ルア−本体２は正面及び側面から見てそれぞれ異形の楕円形に形成されている。
ルア−本体２の正面中心にネジ穴２ａが穿設されて錘体係止部４のネジ部４ａが螺合されている。
錘体係止部４の頭部４ｂには透孔４ｃが穿設されている。
ルア−本体２の外周で正面前側の図２で右側半分に図１の側面より見て非円形状の凹状の錘体受部２ｂが形成されている。
ルア−本体２の外周で正面前側の図２で左側半分に図３の背面より見て円形の円弧部２ｃが形成されている。
【００１２】
錘体３は外形が四辺形に形成されると共に少なくとも一端側の一つの隅部３ａは、ルア−本体２の非円形状の凹状の錘体受部２ｂと嵌合可能な凸状に形成されている。
錘体３に固定された軸部８は錘体係止部４の透孔４ｃに挿通可能で軸部８に形成されたネジ部にナット９が螺合される。
ナット９はこの実施例では円形で、周りに滑り止めのロ−レットが加工されているが、形状は多角形でもよい。
ルア−本体２の外周で正面前側の図２で左側半分に図３の背面より見て円形の円弧部２ｃの内径はナット９の外径より大径に形成されている。
【００１３】
ルア−本体２の錘体係止部４に錘体３が取り付けられる時は、錘体３の大きさに合わせて錘体係止部４のルア−本体２からの突出量が調整される。
凸状の錘体３の一端側の一つの隅部３ａがルア−本体２の非円形状の凹状の錘体受部２ｂに嵌まるように錘体係止部４の突出量が調整されて軸部８が錘体係止部４の透孔４ｃに挿通されて軸部８のネジ部にナット９が螺合される。
この時錘体３は凸状の一端側の一つの隅部３ａがルア−本体２の非円形状の凹状の錘体受部２ｂに嵌まっているので回り止めされているからナット９の螺合が容易に行える。
使用する錘体３の大きさに応じて錘体係止部４の突出量が調整される。
錘体３の大きさは適宜選択され、大きな錘体が必要な時は図８のような他端側が楕円形の錘体３′とすると糸絡みが避けられる。
【００１４】
前記のように釣用ルア−１が構成されると、錘体３の一端側隅部３ａがルア−本体２の錘体受部２ｂに対し回転しないように嵌合されるので、ナット９の締め付け作業が容易になり、錘体３が離脱して落下することがなく確実に取り付けることが出来る。
取り付けられた錘体３に糸絡みが起こり難い。
錘体係止部４のルア−本体２からの突出量が調整出来るので、錘体３の大小に合わせることにより、錘体３をルア−本体２にネジ止めする際に、ルア−本体２と錘体３の間に隙間も出来ないので糸絡みが起こり難い。
【実施例２】
【００１５】
図９から図１１は第２実施例で、図９はイカ釣用のルア−本体に錘体が取り付けられた釣用ルア−の側面図、図１０は図９の要部拡大側面図、図１１は図１０の背面図である。
【００１６】
第２実施例の釣用ルア−にはイカ釣用の餌木（エギ）と呼ばれるルア−本体２′が使用されている。
ルア−本体２′の長さの中間で、胴部の厚さの中心に下側からネジ穴２ａが穿設されて錘体係止部４のネジ部４ａが螺合されている。
ルア−本体２′は合成樹脂で外形はイカ釣りに適したエビ、シャコ等を模した形状に形成されてルア−本体２′の尾側に支柱１０が固定されて支柱１０に複数の笠針１１が固定されている。
笠針１１のイカを掛ける部分は放射状に広がった笠針が用いられている。
ルア−本体２′の前側には釣糸係止部７が固定されて道糸６が取り付けられている。
ルア−本体２′の錘体係止部４の取り付け位置には側面より見て図９、図１０のように非円形状の凹状の錘体受部２ｂが形成されている。
ルア−本体２の非円形状の凹状の錘体受部２ｂの背面には図１１のように円形の円弧部２ｃが形成されている。
他の構成は前記第１実施例と略同一である。
【００１７】
第２実施例の釣用ルア−の場合も使用する錘体３の大きさに応じて錘体係止部４の突出量が調整される。
錘体３の大きさは適宜選択され、大きな錘体が必要な時は図８のような他端側が楕円形の錘体３′とすると糸絡みが避けられる。
【符号の説明】
【００１８】
１  釣用ルア−
２、２′  ルア−本体
２ｂ  錘体受部
３、３′  錘体
３ａ  一端側隅部
４  錘体係止部
８  軸部
９  ナット
【図１】
2011030471.tif 000003
【図２】
2011030471.tif 000004
【図３】
2011030471.tif 000005
【図４】
2011030471.tif 000006
【図５】
2011030471.tif 000007
【図６】
2011030471.tif 000008
【図７】
2011030471.tif 000009
【図８】
2011030471.tif 000010
【図９】
2011030471.tif 000011
【図１０】
2011030471.tif 000012
【図１１】
2011030471.tif 000013